(57)【特許請求の範囲】
【請求項１】
外部の装置からの通知情報を受信する受信部と、
前記通知情報にイベントを示すキーワードが含まれているか否かを判断するキーワード検索部と、
前記キーワード検索部により前記通知情報に前記キーワードが含まれていると判断された場合に、前記通知情報からイベントの日時情報を抽出するスケジュール抽出部と、
通常モードおよび前記通常モードより低騒音の静音モードで印刷動作可能な印刷部と、
前記日時情報に基づき、イベントが実施される時間帯をイベント対応時間帯として設定するとともに、前記イベント対応時間帯では前記静音モードで印刷するよう前記印刷部を制御する印刷制御部と
を備えることを特徴とする印刷装置。
【請求項２】
前記静音モードは、前記通常モードより印刷速度が低速のモードであり、
前記印刷制御部は、前記静音モードでの印刷中に前記イベント対応時間帯が終了すると、前記通常モードでの印刷に切り替えるよう前記印刷部を制御することを特徴とする請求項１に記載の印刷装置。
【請求項３】
前記印刷制御部は、前記日時情報にイベントの終了予定時刻が含まれていない場合、イベントの開始予定時刻から規定時間の間を前記イベント対応時間帯として設定することを特徴とする請求項１または２に記載の印刷装置。
【請求項４】
前記印刷制御部は、前記イベント対応時間帯では印刷を停止する一時停止モードを設定可能であることを特徴とする請求項１乃至３のいずれか１項に記載の印刷装置。
【発明の詳細な説明】
【技術分野】
【０００１】
本発明は、用紙等に印刷を行う印刷装置に関する。
【背景技術】
【０００２】
印刷装置の動作中は、用紙搬送等による騒音が発生する。印刷装置が設置されたオフィス等では、静寂性が要求される状況において、印刷装置による騒音を低減したい要求がある。
【０００３】
例えば、特許文献１には、印刷中に電話の着信を検知した場合に、動作を通常モードからサイレントモードに切り替えて騒音を低減する印刷装置が開示されている。
【先行技術文献】
【特許文献】
【０００４】
【特許文献１】特開２００６−１０３０９５号公報
【発明の概要】
【発明が解決しようとする課題】
【０００５】
特許文献１の技術では、電話対応時において印刷装置の騒音を低減できるが、会議中や来客中のような、静寂性が要求される他の状況には対応できない。そこで、さまざまな状況に対応して印刷装置の騒音を低減できる技術が要望されていた。
【０００６】
本発明は上記に鑑みてなされたもので、さまざまな状況に対応して騒音を低減できる印刷装置を提供することを目的とする。
【課題を解決するための手段】
【０００７】
上記目的を達成するため、本発明に係る印刷装置の第１の特徴は、外部の装置からの通知情報を受信する受信部と、前記通知情報にイベントを示すキーワードが含まれているか否かを判断するキーワード検索部と、前記キーワード検索部により前記通知情報に前記キーワードが含まれていると判断された場合に、前記通知情報からイベントの日時情報を抽出するスケジュール抽出部と、通常モードおよび前記通常モードより低騒音の静音モードで印刷動作可能な印刷部と、前記日時情報に基づき、イベントが実施される時間帯をイベント対応時間帯として設定するとともに、前記イベント対応時間帯では前記静音モードで印刷するよう前記印刷部を制御する印刷制御部とを備えることにある。
【０００８】
本発明に係る印刷装置の第２の特徴は、前記静音モードは、前記通常モードより印刷速度が低速のモードであり、前記印刷制御部は、前記静音モードでの印刷中に前記イベント対応時間帯が終了すると、前記通常モードでの印刷に切り替えるよう前記印刷部を制御することにある。
【０００９】
本発明に係る印刷装置の第３の特徴は、前記印刷制御部は、前記日時情報にイベントの終了予定時刻が含まれていない場合、イベントの開始予定時刻から規定時間の間を前記イベント対応時間帯として設定することにある。
【００１０】
本発明に係る印刷装置の第４の特徴は、前記印刷制御部は、前記イベント対応時間帯では印刷を停止する一時停止モードを設定可能であることにある。
【発明の効果】
【００１１】
本発明に係る印刷装置の第１の特徴によれば、キーワード検索部が、外部の装置からの通知情報にイベントを示すキーワードが含まれているか否かを判断する。キーワード検索部により通知情報にキーワードが含まれていると判断された場合、スケジュール抽出部が、通知情報からイベントの日時情報を抽出する。印刷制御部は、抽出された日時情報に基づき、イベントが実施される時間帯をイベント対応時間帯として設定するとともに、イベント対応時間帯では静音モードで印刷するよう印刷部を制御する。これにより、会議等の通知されたイベントの開催日時に応じて印刷部を静音モードで動作させることができるので、さまざまな状況に対応して騒音を低減できる。
【００１２】
本発明に係る印刷装置の第２の特徴によれば、印刷制御部は、通常モードより印刷速度が低速の静音モードでの印刷中にイベント対応時間帯が終了すると、通常モードでの印刷に切り替えるよう印刷部を制御する。これにより、イベント対応時間帯が終了した後も静音モードでの印刷が継続されることを回避できる。この結果、印刷物の生産性の低下を軽減できる。
【００１３】
本発明に係る印刷装置の第３の特徴によれば、印刷制御部は、日時情報にイベントの終了予定時刻が含まれていない場合、イベントの開始予定時刻から規定時間の間をイベント対応時間帯として設定する。これにより、通知情報にイベントの終了予定時刻が含まれていない場合でも、イベントの開催中の少なくとも一部の時間帯において印刷部を静音モードで動作させることができる。
【００１４】
本発明に係る印刷装置の第４の特徴によれば、印刷制御部は、イベント対応時間帯では印刷を停止する一時停止モードを設定可能である。これにより、イベント開催中の静音性をより重視したいユーザの要望に対応できる。
【図面の簡単な説明】
【００１５】
【図１】第１実施形態に係る印刷システムの構成を示すブロック図である。
【図２】キーワードリストの説明図である。
【図３】リマインドメールの内容の一例を示す図である。
【図４】イベント対応スケジューリング処理のフローチャートである。
【図５】第１実施形態における印刷時の印刷装置の動作を説明するためのフローチャートである。
【図６】第２実施形態における印刷時の印刷装置の動作を説明するためのフローチャートである。
【図７】第２実施形態における印刷時の印刷装置の動作を説明するためのフローチャートである。
【発明を実施するための形態】
【００１６】
以下、本発明の実施の形態について、図面を参照して説明する。なお、各図面を通じて同一もしくは同等の部位や構成要素には、同一もしくは同等の符号を付し、その説明を省略もしくは簡略化する。
【００１７】
（第１実施形態）
図１は、本発明の第１実施形態に係る印刷装置を含む印刷システムの構成を示すブロック図である。
【００１８】
図１に示すように、第１実施形態に係る印刷システム１は、印刷装置２と、サーバ装置３と、端末装置４とを備える。印刷装置２と、サーバ装置３と、端末装置４とは、ネットワーク５を介して通信可能に接続されている。ネットワーク５は、例えば、ＬＡＮ（Local Area Network）からなる。
【００１９】
印刷装置２は、端末装置４から送信される印刷ジョブに基づき、用紙に印刷を行う。印刷装置２は、印刷部１１と、操作パネル１２と、キーワード設定部１３と、キーワード記憶部１４と、キーワード検索部１５と、スケジュール抽出部１６と、印刷制御部１７と、計時部１８と、通信部１９とを備える。なお、印刷装置２における制御的な処理を行うキーワード設定部１３、キーワード検索部１５、スケジュール抽出部１６、印刷制御部１７は、例えば、印刷装置２内に備えられたＣＰＵ、メモリ、ハードディスク等によって機能モジュールとして構成することができる。
【００２０】
印刷部１１は、用紙を搬送しつつ画像を印刷し、印刷された用紙を搬送して排紙する。印刷部１１は、インクジェットヘッド等の印刷機構、用紙を搬送するローラ（いずれも図示せず）等を備える。印刷部１１は、通常モードおよび静音モードで印刷動作を行うことができる。静音モードは、通常モードより低騒音の動作モードである。具体的には、静音モードは、通常モードより印刷速度を低速とする動作モードである。静音モードでは、通常モードより用紙搬送速度が遅く、印刷物の生産性は低下する。
【００２１】
操作パネル１２は、各種の入力画面等の画像を表示するとともに、ユーザによる入力操作を受け付ける。操作パネル１２は、画像を表示する液晶表示パネル等を有する表示部と、タッチパネル、各種の入力ボタン等を有する入力部（いずれも図示せず）とを備える。
【００２２】
キーワード設定部１３は、操作パネル１２に対するユーザの操作により入力された単語をキーワードとして設定する。キーワードは、開催場所の静寂性が要求される各種のイベントを示す単語である。この種のイベントとしては、会議、来客等がある。キーワード設定部１３は、設定したキーワードを、後述するキーワード記憶部１４のキーワードリスト２１に格納する。
【００２３】
キーワード記憶部１４は、図２に示すようなキーワードリスト２１を記憶している。キーワードリスト２１は、キーワード設定部１３により設定された各種のキーワードのリストである。設定されるキーワードとしては、図２に示すように、「会議」、「ミーティング」等がある。
【００２４】
キーワード検索部１５は、印刷装置２が受信した電子メールの内容に、キーワードリスト２１内のキーワードが含まれているか否かを判断する。なお、電子メールの内容が、請求項の通知情報に相当する。
【００２５】
スケジュール抽出部１６は、キーワード検索部１５により電子メールの内容にキーワードが含まれていると判断された場合に、電子メールの内容からイベントの日時情報を抽出する。イベントの日時情報は、イベントの開催日時を示す情報である。
【００２６】
印刷制御部１７は、印刷動作を行うよう印刷部１１を制御する。印刷制御部１７は、キーワード検索部１５により電子メールの内容にキーワードが含まれていると判断された場合において、スケジュール抽出部１６により抽出された日時情報に基づき、イベントが実施される時間帯をイベント対応時間帯として設定する。そして、印刷制御部１７は、イベント対応時間帯では静音モードで印刷するよう印刷部１１を制御する。
【００２７】
計時部１８は、時刻を計時し、現在時刻を示す現在時刻情報を印刷制御部１７へ出力する。
【００２８】
通信部１９は、印刷装置２をネットワーク５に接続する。これにより、印刷装置２が、サーバ装置３、端末装置４等の外部の装置と通信可能になっている。なお、通信部１９は、請求項の受信部に相当する。
【００２９】
サーバ装置３は、イベントのスケジュール管理を行う。サーバ装置３は、スケジューラ部３１と、通信部３２とを備える。
【００３０】
スケジューラ部３１は、イベントのスケジュールおよび関係者（参加者）を登録する。スケジューラ部３１は、所定のタイミングにおいて、登録されたイベントの関係者が使用する端末装置４、および印刷装置２を宛先として、イベントのリマインドメールを送信する。スケジューラ部３１は、サーバ装置３内に備えられたＣＰＵがスケジューラのプログラムを実行することにより形成される。
【００３１】
通信部３２は、サーバ装置３をネットワーク５に接続する。これにより、サーバ装置３が、印刷装置２、端末装置４等の外部の装置と通信可能になっている。
【００３２】
端末装置４は、印刷装置２へ印刷ジョブを送信する。少なくとも１台の端末装置４が、印刷システム１に含まれている。端末装置４は、例えば、パーソナルコンピュータからなる。端末装置４は、アプリケーション部４１と、プリンタドライバ部４２と、通信部４３とを備える。
【００３３】
アプリケーション部４１は、印刷対象となる画像データを生成する。アプリケーション部４１は、端末装置４内に備えられたＣＰＵがアプリケーションプログラムを実行することにより形成される。
【００３４】
プリンタドライバ部４２は、アプリケーション部４１で生成された画像データを印刷装置２に印刷させるためのＰＤＬ形式の印刷ジョブを生成する。プリンタドライバ部４２は、端末装置４内に備えられたＣＰＵが、端末装置４に対応するプリンタドライバプログラムを実行することにより形成される。
【００３５】
通信部４３は、端末装置４をネットワーク５に接続する。これにより、端末装置４が、印刷装置２、サーバ装置３、他の端末装置４等の外部の装置と通信可能になっている。
【００３６】
次に、印刷システム１の動作について説明する。
【００３７】
まず、印刷装置２にイベント対応時間帯を設定する際の動作について説明する。
【００３８】
サーバ装置３のスケジューラ部３１は、所定のタイミングにおいて、事前に端末装置４から登録されたイベントのリマインドメールを、通信部３２を介して送信する。スケジューラ部３１は、登録されたイベントの関係者が使用する端末装置４のメールアドレスとともに、印刷装置２のメールアドレスを、リマインドメールの宛先とする。これにより、イベントの関係者が使用する端末装置４、および印刷装置２にリマインドメールが送信される。
【００３９】
リマインドメールの内容の一例を図３に示す。図３に示すように、リマインドメールには、イベントの種類、開催日時等が含まれる。ここで、イベントの開催日および開始予定時刻は、サーバ装置３のスケジューラ部３１によるイベントの登録のための必須項目である。このため、イベントの開催日および開始予定時刻は、リマインドメールに含まれている。ただし、イベントの終了予定時刻は、リマインドメールに含まれていない場合がある。
【００４０】
印刷装置２は、リマインドメールを含む電子メールを受信すると、イベント対応スケジューリング処理を実行する。イベント対応スケジューリング処理は、イベント対応時間帯を設定する処理である。イベント対応時間帯は、イベントが開催される予定の時間帯であって、印刷部１１の動作モードを静音モードとする時間帯である。
【００４１】
印刷装置２におけるイベント対応スケジューリング処理について、図４に示すフローチャートを参照して説明する。
【００４２】
図４のフローチャートの処理は、印刷装置２が電子メールを受信したことにより開始となる。
【００４３】
図４のステップＳ１において、キーワード検索部１５は、受信した電子メールの内容に、キーワードリスト２１内のキーワードが含まれているか否かを判断する。ここで、キーワード検索部１５は、電子メールの件名および本文の少なくともいずれかに、キーワードリスト２１内のキーワードの少なくともいずれかが含まれている場合、電子メールの内容にキーワードが含まれていると判断する。図２、図３の例では、図３における件名および本文に「会議」が含まれているため、電子メールの内容にキーワードが含まれていると判断される。
【００４４】
電子メールの内容にキーワードが含まれていないと判断した場合（ステップＳ１：ＮＯ）、キーワード検索部１５は、受信した電子メールがリマインドメールではないと判断し、イベント対応スケジューリング処理を終了する。
【００４５】
キーワード検索部１５が電子メールの内容にキーワードが含まれていると判断した場合（ステップＳ１：ＹＥＳ）、ステップＳ２において、スケジュール抽出部１６は、電子メールの内容からイベントの日時情報を抽出する。スケジュール抽出部１６は、抽出した日時情報を印刷制御部１７へ出力する。
【００４６】
次いで、ステップＳ３において、印刷制御部１７は、スケジュール抽出部１６で抽出された日時情報にイベントの終了予定時刻が含まれているか否かを判断する。
【００４７】
日時情報にイベントの終了予定時刻が含まれていると判断した場合（ステップＳ３：ＹＥＳ）、ステップＳ４において、印刷制御部１７は、イベントが実施される時間帯をイベント対応時間帯として設定する。具体的には、印刷制御部１７は、イベントの開始予定時刻から終了予定時刻までの時間帯を、イベント対応時間帯として設定する。これにより、イベント対応スケジューリング処理が終了となる。
【００４８】
日時情報にイベントの終了予定時刻が含まれていないと判断した場合（ステップＳ３：ＮＯ）、ステップＳ５において、印刷制御部１７は、イベントの開始予定時刻から規定時間の間をイベント対応時間帯として設定する。これにより、イベント対応スケジューリング処理が終了となる。
【００４９】
次に、印刷装置２による印刷時の動作について説明する。
【００５０】
端末装置４におけるユーザの操作により印刷が指示されると、端末装置４のプリンタドライバ部４２は、アプリケーション部４１で生成された画像データを印刷装置２に印刷させるための印刷ジョブを生成する。そして、プリンタドライバ部４２は、通信部４３を介して印刷ジョブを印刷装置２へ送信する。
【００５１】
印刷装置２は、端末装置４からの印刷ジョブを受信すると、印刷を実行する。印刷時の印刷装置２の動作について、図５に示すフローチャートを参照して説明する。
【００５２】
図５のステップＳ１１において、印刷制御部１７は、通信部１９により印刷ジョブを受信したか否かを判断する。印刷ジョブを受信していないと判断した場合（ステップＳ１１：ＮＯ）、印刷制御部１７は、ステップＳ１１を繰り返す。
【００５３】
印刷ジョブを受信したと判断した場合（ステップＳ１１：ＹＥＳ）、ステップＳ１２において、印刷制御部１７は、計時部１８からの現在時刻情報に基づき、現在時刻がイベント対応時間帯に含まれるか否かを判断する。
【００５４】
現在時刻がイベント対応時間帯に含まれると判断した場合（ステップＳ１２：ＹＥＳ）、ステップＳ１３において、印刷制御部１７は、静音モードで印刷を開始するよう印刷部１１を制御する。
【００５５】
次いで、ステップＳ１４において、印刷制御部１７は、印刷が終了したか否かを判断する。
【００５６】
印刷が終了していないと判断した場合（ステップＳ１４：ＮＯ）、ステップＳ１５において、印刷制御部１７は、イベント対応時間帯が終了したか否かを判断する。
【００５７】
イベント対応時間帯が終了したと判断した場合（ステップＳ１５：ＹＥＳ）、ステップＳ１６において、印刷制御部１７は、通常モードに切り替えて印刷を継続するよう印刷部１１を制御する。この後、印刷制御部１７は、ステップＳ１８へ進む。
【００５８】
イベント対応時間帯が終了していないと判断した場合（ステップＳ１５：ＮＯ）、印刷制御部１７は、ステップＳ１４へ戻る。
【００５９】
ステップＳ１４において、印刷が終了したと判断した場合（ステップＳ１４：ＹＥＳ）、印刷制御部１７は、一連の動作を終了する。
【００６０】
ステップＳ１２において、現在時刻がイベント対応時間帯に含まれないと判断した場合（ステップＳ１２：ＮＯ）、ステップＳ１７において、印刷制御部１７は、通常モードで印刷を開始するよう印刷部１１を制御する。
【００６１】
次いで、ステップＳ１８において、印刷制御部１７は、印刷が終了したか否かを判断する。
【００６２】
印刷が終了していないと判断した場合（ステップＳ１８：ＮＯ）、ステップＳ１９において、印刷制御部１７は、イベント対応時間帯が開始されたか否かを判断する。
【００６３】
イベント対応時間帯が開始されたと判断した場合（ステップＳ１９：ＹＥＳ）、ステップＳ２０において、印刷制御部１７は、静音モードに切り替えて印刷を継続するよう印刷部１１を制御する。この後、印刷制御部１７は、ステップＳ１４へ進む。
【００６４】
イベント対応時間帯は開始されていないと判断した場合（ステップＳ１９：ＮＯ）、印刷制御部１７は、ステップＳ１８へ戻る。
【００６５】
ステップＳ１８において、印刷が終了したと判断した場合（ステップＳ１８：ＹＥＳ）、印刷制御部１７は、一連の動作を終了する。
【００６６】
上述のような図５のフローチャートの処理により、イベント対応時間帯では静音モードでの印刷が行われる。また、静音モードでの印刷中にイベント対応時間帯が終了すると、通常モードでの印刷に切り替えられる。
【００６７】
以上説明したように、印刷システム１では、印刷装置２のキーワード検索部１５が、電子メールの内容にイベントを示すキーワードが含まれているか否かを判断する。キーワード検索部１５により電子メールの内容にキーワードが含まれていると判断されると、スケジュール抽出部１６が、電子メールの内容からイベントの日時情報を抽出する。印刷制御部１７は、スケジュール抽出部１６により抽出された日時情報に基づき、イベント対応時間帯を設定する。そして、印刷制御部１７は、イベント対応時間帯では静音モードで印刷するよう印刷部１１を制御する。これにより、会議等の通知されたイベントの開催日時に応じて印刷部１１を静音モードで動作させることができるので、静寂性が要求されるさまざまな状況に対応して騒音を低減できる。
【００６８】
また、印刷制御部１７は、静音モードでの印刷中にイベント対応時間帯が終了すると、通常モードでの印刷に切り替えるよう印刷部１１を制御する。これにより、イベント対応時間帯が終了した後も静音モードでの印刷が継続されることを回避できる。この結果、印刷物の生産性の低下を軽減できる。
【００６９】
また、印刷制御部１７は、イベントの日時情報に終了予定時刻が含まれていない場合、イベントの開始予定時刻から規定時間の間をイベント対応時間帯として設定する。これにより、リマインドメールにイベントの終了予定時刻が含まれていない場合でも、イベントの開催中の少なくとも一部の時間帯において印刷部１１を静音モードで動作させることができる。
【００７０】
（第２実施形態）
次に、上述した実施形態の印刷装置２による印刷時の動作を変更した第２実施形態について説明する。
【００７１】
第２実施形態では、印刷制御部１７は、イベント対応時間帯における印刷部１１の動作モードとして、静音モードに加えて、一時停止モードを設定可能である。一時停止モードは、イベント対応時間帯では印刷を停止するモードである。印刷制御部１７は、操作パネル１２に対するユーザの入力操作に応じて、イベント対応時間帯における印刷部１１の動作モードとして、静音モードまたは一時停止モードを選択的に設定する。
【００７２】
第２実施形態における印刷時の印刷装置２の動作について、図６、図７に示すフローチャートを参照して説明する。
【００７３】
図６のステップＳ２１，Ｓ２２の処理は、前述した図５のステップＳ１１，Ｓ１２の処理と同様である。
【００７４】
ステップＳ２２において、現在時刻がイベント対応時間帯に含まれると判断した場合（ステップＳ２２：ＹＥＳ）、ステップＳ２３において、印刷制御部１７は、イベント対応時間帯における印刷部１１の動作モードとして、一時停止モードが設定されているか否かを判断する。
【００７５】
一時停止モードが設定されていると判断した場合（ステップＳ２３：ＹＥＳ）、ステップＳ２４において、印刷制御部１７は、イベント対応時間帯が終了したか否かを判断する。イベント対応時間帯が終了していないと判断した場合（ステップＳ２４：ＮＯ）、印刷制御部１７は、ステップＳ２４を繰り返す。
【００７６】
イベント対応時間帯が終了したと判断した場合（ステップＳ２４：ＹＥＳ）、ステップＳ２５において、印刷制御部１７は、通常モードで印刷を開始するよう印刷部１１を制御する。
【００７７】
また、ステップＳ２２において、現在時刻がイベント対応時間帯に含まれないと判断した場合（ステップＳ２２：ＮＯ）、印刷制御部１７は、ステップＳ２３，Ｓ２４を省略し、ステップＳ２５において、通常モードで印刷を開始するよう印刷部１１を制御する。
【００７８】
次いで、ステップＳ２６において、印刷制御部１７は、印刷が終了したか否かを判断する。
【００７９】
印刷が終了していないと判断した場合（ステップＳ２６：ＮＯ）、ステップＳ２７において、印刷制御部１７は、イベント対応時間帯が開始されたか否かを判断する。イベント対応時間帯は開始されていないと判断した場合（ステップＳ２７：ＮＯ）、印刷制御部１７は、ステップＳ２６へ戻る。
【００８０】
イベント対応時間帯が開始されたと判断した場合（ステップＳ２７：ＹＥＳ）、ステップＳ２８において、印刷制御部１７は、イベント対応時間帯における印刷部１１の動作モードとして、一時停止モードが設定されているか否かを判断する。
【００８１】
一時停止モードが設定されていると判断した場合（ステップＳ２８：ＹＥＳ）、ステップＳ２９において、印刷制御部１７は、印刷部１１における印刷を停止させる。
【００８２】
次いで、ステップＳ３０において、印刷制御部１７は、イベント対応時間帯が終了したか否かを判断する。イベント対応時間帯が終了していないと判断した場合（ステップＳ３０：ＮＯ）、印刷制御部１７は、ステップＳ３０を繰り返す。
【００８３】
イベント対応時間帯が終了したと判断した場合（ステップＳ３０：ＹＥＳ）、ステップＳ３１において、印刷制御部１７は、通常モードで印刷を再開するよう印刷部１１を制御する。この後、印刷制御部１７は、ステップＳ２６へ戻る。
【００８４】
ステップＳ２８において、イベント対応時間帯における印刷部１１の動作モードとして、一時停止モードは設定されていない、すなわち、静音モードが設定されていると判断した場合（ステップＳ２８：ＮＯ）、ステップＳ３２において、印刷制御部１７は、静音モードに切り替えて印刷を継続するよう印刷部１１を制御する。この後、印刷制御部１７は、ステップＳ３４へ進む。
【００８５】
ステップＳ２３において、イベント対応時間帯における印刷部１１の動作モードとして、一時停止モードは設定されていない、すなわち、静音モードが設定されていると判断した場合（ステップＳ２３：ＮＯ）、図７のステップＳ３３へ進む。
【００８６】
図７のステップＳ３３〜Ｓ３６の処理は、前述した図５のステップＳ１３〜Ｓ１６の処理と同様である。
【００８７】
ステップＳ３６の後、印刷制御部１７は、図６のステップＳ２６へ進む。ステップＳ２６において、印刷が終了したと判断した場合（ステップＳ２６：ＹＥＳ）、印刷制御部１７は、一連の動作を終了する。
【００８８】
以上説明したように、第２実施形態では、印刷制御部１７は、イベント対応時間帯では印刷を停止する一時停止モードを設定可能である。これにより、イベント開催中の静音性をより重視したいユーザの要望に対応できる。
【００８９】
（その他の実施形態）
上述のように、本発明は第１および第２実施形態によって記載したが、この開示の一部をなす論述および図面はこの発明を限定するものであると理解すべきではない。この開示から当業者には様々な代替実施形態、実施例および運用技術が明らかとなろう。
【００９０】
上述の第１および第２実施形態では、サーバ装置３からの電子メール（リマインドメール）により印刷装置２にイベントの開催日時を通知したが、イベントの開催日時を通知する手段は電子メールに限らない。例えば、端末装置４からアプリケーションにより印刷装置２にイベントの日時情報を送信する構成でもよい。
【００９１】
上述の第１および第２実施形態では、静音モードは、通常モードより印刷速度を低速とする動作モードであるとしたが、他の手法により騒音を抑えるものであってもよい。
【００９２】
印刷制御部１７が設定したイベント対応時間帯を、操作パネル１２に対する操作に応じて変更できるようにしてもよい。これにより、誤って設定されたイベント対応時間帯を修正できる。
【００９３】
スケジュール抽出部１６が、キーワードが含まれている電子メールの内容からイベントが開催される場所を抽出し、印刷制御部１７が、抽出された場所に基づき、イベント対応時間帯を設定するか否かを判断するようにしてもよい。これにより、イベントの開催場所が印刷装置２の設置場所から遠く離れた場所である場合は、イベント開催中でも通常モードで印刷することが可能になる。
【００９４】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００９５】
１  印刷システム
２  印刷装置
３  サーバ装置
４  端末装置
５  ネットワーク
１１  印刷部
１２  操作パネル
１３  キーワード設定部
１４  キーワード記憶部
１５  キーワード検索部
１６  スケジュール抽出部
１７  印刷制御部
１８  計時部
１９  通信部
２１  キーワードリスト
３１  スケジューラ部
３２  通信部
４１  アプリケーション部
４２  プリンタドライバ部
４３  通信部
【図１】
0006472303.tif 000002
【図２】
0006472303.tif 000003
【図３】
0006472303.tif 000004
【図４】
0006472303.tif 000005
【図５】
0006472303.tif 000006
【図６】
0006472303.tif 000007
【図７】
0006472303.tif 000008